【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
記録媒体に所定の色の記録材を付与することにより前記記録媒体に画像を記録する記録手段と、
前記所定の色の記録材を前記記録媒体に付与することにより前記記録媒体のテストパッチ形成部が前記所定の色の記録材で満たされるように、前記記録手段により前記記録媒体にテストパッチを記録させるテストパッチ形成手段と、
発光部から照射される光を用いて前記記録媒体に形成された前記テストパッチを測定する測定手段と、
前記測定手段による前記テストパッチの測定結果に基づいて、前記発光部の発光特性についての情報を取得する取得手段とを有することを特徴とする記録装置。
【請求項２】
前記取得手段により取得される前記発光部の発光特性についての情報は、前記発光部の発光特性と前記発光部の基準となる発光体の発光特性との差についての情報であることを特徴とする請求項１に記載の記録装置。
【請求項３】
前記記録手段により前記記録媒体に付与される前記記録材の量を決定する決定手段をさらに有し、
前記テストパッチ形成手段は、前記決定手段により決定される記録材の量で前記記録手段によりテストパッチを記録させ、
前記測定手段は、前記決定手段により決定される記録材の量で記録された前記テストパッチを前記発光部から照射される光を用いて測定し、
前記決定手段は、前記取得手段により取得される前記発光部の発光特性についての情報と、前記決定手段による決定に用いられることになる前記テストパッチを前記測定手段により測定した結果とに基づいて前記記録材の量を決定することを特徴とする請求項１に記載の記録装置。
【請求項４】
前記テストパッチを測定するのに用いられる前記発光部の前記発光特性がピークとなる波長は、前記所定の色の記録材による前記テストパッチの分光反射率が光の波長に従って単調に増加又は減少する波長範囲内にあることを特徴とする請求項１に記載の記録装置。
【請求項５】
前記決定手段による決定に用いられることになる前記テストパッチを前記測定手段が測定するのに用いる前記発光部の発光特性がピークとなる波長は、前記決定手段により決定された前記所定の色の記録材の量により得られる分光反射率が光の波長に従って変化しない波長範囲内にあることを特徴とする請求項３に記載の記録装置。
【請求項６】
前記発光部はＬＥＤであることを特徴とする請求項１乃至５のいずれか１項に記載の記録装置。
【請求項７】
前記所定の色の記録材によるテストパッチは、マゼンタのテストパッチであり、
前記マゼンタのテストパッチを測定する前記発光部は、青色ＬＥＤと赤色ＬＥＤであることを特徴とする請求項４に記載の記録装置。
【請求項８】
前記所定の色の記録材によるテストパッチは、イエロのテストパッチであり、
前記イエロのテストパッチを測定する前記発光部は、緑色ＬＥＤであることを特徴とする請求項４に記載の記録装置。
【請求項９】
前記所定の色の記録材によるテストパッチは、マゼンタのテストパッチであり、
前記マゼンタのテストパッチを測定する前記発光部は、緑色ＬＥＤであることを特徴とする請求項５に記載の記録装置。
【請求項１０】
前記記録媒体のテストパッチ形成部では前記所定の色の記録材が飽和量付与された状態になっていることを特徴とする請求項１に記載の記録装置。
【請求項１１】
記録媒体に所定の色の記録材を付与することにより前記記録媒体に画像を記録する記録手段を備えた記録装置の記録方法であって、
前記所定の色の記録材を前記記録媒体に付与することにより前記記録媒体のテストパッチ形成部が前記所定の色の記録材で満たされるように、前記記録手段により前記記録媒体にテストパッチを記録させるテストパッチ形成工程と、
発光部から照射される光を用いて前記記録媒体に形成された前記テストパッチを測定する測定工程と、
前記測定工程による前記テストパッチの測定結果に基づいて、前記発光部の発光特性についての情報を取得する取得工程とを有することを特徴とする記録方法。
【請求項１２】
前記取得工程において取得される前記発光部の発光特性についての情報は、前記発光部の発光特性と前記発光部の基準となる発光体の発光特性との差についての情報であることを特徴とする請求項１１に記載の記録方法。
【請求項１３】
前記記録手段により前記記録媒体に付与される前記記録材の量を決定する決定工程をさらに有し、
前記テストパッチ形成工程では、前記決定工程において決定される記録材の量で前記記録手段によりテストパッチを記録させ、
前記測定工程では、前記決定工程において決定される記録材の量で記録された前記テストパッチを前記発光部から照射される光を用いて測定し、
前記決定工程では、前記取得工程において取得される前記発光部の発光特性についての情報と、前記決定工程における決定に用いられることになる前記テストパッチを前記測定工程において測定した結果とに基づいて前記記録材の量を決定することを特徴とする請求項１１に記載の記録方法。
【請求項１４】
前記テストパッチを測定するのに用いられる前記発光部の前記発光特性がピークとなる波長は、前記所定の色の記録材による前記テストパッチの分光反射率が光の波長に従って単調に増加又は減少する波長範囲内にあることを特徴とする請求項１１に記載の記録方法。
【請求項１５】
前記決定工程における決定に用いられることになる前記テストパッチを前記測定工程において測定するのに用いる前記発光部の発光特性がピークとなる波長は、前記決定工程において決定された前記所定の色の記録材の量により得られる分光反射率が光の波長に従って変化しない波長範囲内にあることを特徴とする請求項１３に記載の記録方法。
【請求項１６】
前記発光部はＬＥＤであることを特徴とする請求項１１乃至１５のいずれか１項に記載の記録方法。
【請求項１７】
前記所定の色の記録材によるテストパッチは、マゼンタのテストパッチであり、
前記マゼンタのテストパッチを測定する前記発光部は、青色ＬＥＤと赤色ＬＥＤであることを特徴とする請求項１４に記載の記録方法。
【請求項１８】
前記所定の色の記録材によるテストパッチは、イエロのテストパッチであり、
前記イエロのテストパッチを測定する前記発光部は、緑色ＬＥＤであることを特徴とする請求項１４に記載の記録方法。
【請求項１９】
前記所定の色の記録材によるテストパッチは、マゼンタのテストパッチであり、
前記マゼンタのテストパッチを測定する前記発光部は、緑色ＬＥＤであることを特徴とする請求項１５に記載の記録方法。
【請求項２０】
前記記録媒体のテストパッチ形成部では前記所定の色の記録材が飽和量付与された状態になっていることを特徴とする請求項１１に記載の記録方法。
【手続補正２】
【補正対象書類名】明細書
【補正対象項目名】発明の名称
【補正方法】変更
【補正の内容】
【発明の名称】記録装置、及び記録方法
【手続補正３】
【補正対象書類名】明細書
【補正対象項目名】０００１
【補正方法】変更
【補正の内容】
【０００１】
本発明は記録装置、及び記録方法に関する。
【手続補正４】
【補正対象書類名】明細書
【補正対象項目名】００１３
【補正方法】変更
【補正の内容】
【００１３】
本発明は上記従来例に鑑みてなされたもので、メタメリズムの問題を解決し、適切な画像記録を行なうことができる記録装置、及び記録方法を提供することを目的としている。
【手続補正５】
【補正対象書類名】明細書
【補正対象項目名】００１４
【補正方法】変更
【補正の内容】
【００１４】
上記目的を達成するために本発明の記録装置は、次のような構成からなる。
【手続補正６】
【補正対象書類名】明細書
【補正対象項目名】００１５
【補正方法】変更
【補正の内容】
【００１５】
即ち、記録媒体に所定の色の記録材を付与することにより前記記録媒体に画像を記録する記録手段と、前記所定の色の記録材を前記記録媒体に付与することにより前記記録媒体のテストパッチ形成部が前記所定の色の記録材で満たされるように、前記記録手段により前記記録媒体にテストパッチを記録させるテストパッチ形成手段と、発光部から照射される光を用いて前記記録媒体に形成された前記テストパッチを測定する測定手段と、前記測定手段による前記テストパッチの測定結果に基づいて、前記発光部の発光特性についての情報を取得する取得手段とを有することを特徴とする。
【手続補正７】
【補正対象書類名】明細書
【補正対象項目名】００１６
【補正方法】変更
【補正の内容】
【００１６】
また本発明を別の側面から見れば、記録媒体に所定の色の記録材を付与することにより前記記録媒体に画像を記録する記録手段を備えた記録装置の記録方法であって、前記所定の色の記録材を前記記録媒体に付与することにより前記記録媒体のテストパッチ形成部が前記所定の色の記録材で満たされるように、前記記録手段により前記記録媒体にテストパッチを記録させるテストパッチ形成工程と、発光部から照射される光を用いて前記記録媒体に形成された前記テストパッチを測定する測定工程と、前記測定工程による前記テストパッチの測定結果に基づいて、前記発光部の発光特性についての情報を取得する取得工程とを有することを特徴とする記録方法を備える。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
従って本発明によれば、例えば、記録装置に組み込まれるカラースキャナの光源のＬＥＤの発光波長が推定され、その記録装置による画像原稿の読取の際には、その波長を考慮した色補正を行なうことができる。これにより、色ずれのない高品質の画像読取を行なうことが可能になる。